(57)【要約】【課題】  外装材を設置する横胴縁を定尺とすることによって建物壁面の出隅等に生じる定尺以下の寸法部分を簡易且つ確実に吸収し得るようにする。【解決手段】  それぞれ外装材の取付ベースをなすとともに略共通の断面形状として定尺の横胴縁１とこれより短尺の延長胴縁２を形成し，延長胴縁２を横胴縁１に正面側から嵌め込み装着して該横胴縁１の長手方向にスライド自在とする。定尺をメートル，旧尺に準拠して設定することによって建物壁面２２の出隅で生じる芯々寸法との差や外断熱層の厚さによる横胴縁１の定尺長さを超える部分を，これに装着した延長胴縁２をスライドすることによってカバーして外装材の取付ベースを建物壁面の全幅に亘るようにする。【選択図】        図１１
2005344298.tif 000002
【特許請求の範囲】
【請求項１】
タイル，サイディング等外装材の取付ベースをなす定尺の横胴縁と，同じく外装材の取付ベースをなす延長胴縁とを備え，該延長胴縁を幅方向突出長さ可変に又はブリッジ状に上記横胴縁に対して配置自在とし，該延長胴縁を建物壁面幅における横胴縁配置の残余長さ用としてなることを特徴とする外装材設置用横胴縁。
【請求項２】
上記定尺の横胴縁を異長に複数備え，これら複数の横胴縁に対して延長胴縁を互換的に配置自在としてなることを特徴とする請求項１に記載の外装材設置用横胴縁。
【請求項３】
上記定尺の横胴縁及び延長胴縁を，ロールホーミング成形，プレス成形，押出成形等によって成形加工したスチール，アルミ等の金属製としてなることを特徴とする請求項１又は２に記載の外装材設置用横胴縁。
【請求項４】
上記延長胴縁の幅方向突出長さ可変又はブリッジ状の配置を，横胴縁に対して延長胴縁を該横胴縁長手方向にスライド自在に配置することによって行なってなることを特徴とする請求項１，２又は３に記載の外装材設置用横胴縁。
【請求項５】
上記定尺の横胴縁に対する延長胴縁のスライド自在の配置を，横胴縁の正面から延長胴縁を嵌合し，そのスライドを該嵌合状態で横胴縁長手方向に自在としてなることを特徴とする請求項４に記載の外装材設置用横胴縁。
【請求項６】
上記定尺の横胴縁の両端側位置において該横胴縁と延長胴縁間又は横胴縁を介した縦胴縁と延長胴縁間に所定長さのスライド規制手段を配置し，上記定尺の横胴縁に対する延長胴縁の嵌合とそのスライドを，該スライド規制手段の長さの範囲内で行なってなることを特徴とする請求項５に記載の外装材設置用横胴縁。
【請求項７】
上記定尺の横胴縁と延長胴縁とを，それぞれ断面コ字状の胴縁基部とその正面側上下先端に外装材取付用の係合部とを備えて断面形状を略同形としてなることを特徴とする請求項１，２，３，４，５又は６に記載の外装材設置用横胴縁。
【請求項８】
請求項１乃至７のいずれかの外装材設置用横胴縁を用い，その延長胴縁を定尺の横胴縁に配置した状態で単独又は縦胴縁を介して建物壁面幅の全長に亘るように配置し，その取付ベースに対してタイル，サイディング等の外装材を取付固定することを特徴とする外装材設置用横胴縁を用いた壁面外装方法。
【発明の詳細な説明】
【技術分野】
【０００１】
本発明は，建物外壁に外装材を設置するに用いる外装材設置用横胴縁及びこれを用いた壁面外装方法に関する。
【背景技術】
【０００２】
この種横胴縁は所定長さに設定した定尺のものとして，タイル，サイディング等の取付ベースをなすように建物構造材の外側に単独又は縦胴縁を介して配置するように用いられるものとされ，例えばタイルを専用に取り付けるためのタイル施工用レールの名称で，中間の凹陥部を縦胴縁に釘止めし，その正面側に平行に突出した上下突条によるタイル取付用一対の係合部に，タイル裏面の凹部を嵌合状に引掛け接着することによって，その長手方向にタイルを取り付けるようにした金属板製の横胴縁又はそのタイル接着面に剥離フィルムを配した横胴縁が知られている
【０００３】
【特許文献１】特開２００３−１７２０１２号公報
【発明の開示】
【発明が解決しようとする課題】
【０００４】
このとき横胴縁の長さは，例えば生産都合等の理由によって建物の軸組構造，枠組構造における柱，間柱等の芯々寸法より長くして定尺とするか，これら芯々寸法に合わせて旧尺やメートルを基準としてその倍数の所定長さを定尺とし，建物壁面に長手方向端部を付き合わせるように横方向連続的に水平配置して，タイル，サイディング等の外装材を取り付けるものとされているが，芯々寸法より長いものはもとより，芯々寸法によるものも，横胴縁を建物壁面に水平配置したとき，その合計長さが建物壁面幅と一致しないことから，前者においては芯々寸法によって設定される建物壁面幅から突出する余剰部分を生じるし，また後者において建物壁面幅に不足する残余部分を生じることになる。即ち後者の場合，例えば建物の出隅においては，該出隅部分にあっては，その柱，間柱の幅方向中心の芯位置から出隅側の側面まで，例えば数ｃｍ程度の幅部分が，そして柱の外側に断熱材を配置する外断熱構造の建物にあっては，これに断熱材の厚さを加えた幅部分が，また窓開口部分にあっては，これを設置することによってその横幅に応じて残った定尺外の幅部分が，いずれも定尺以下の寸法となって，それぞれ横胴縁の合計長さによってカバーできない残余部分となる。
【０００５】
このとき余剰部分や残余部分には，該部分においても外装材の取付が可能となるように横胴縁を追加する必要が生じるところ，この種横胴縁は木製であるか，また上記のように金属製であっても，比較的薄いスチール製等であるから，建物壁面に生じる該残余部分については，一般に定尺の横胴縁を残余部分の長さに合せて現場で切断することによって，定尺の横胴縁の端部に継ぎ足し状に配置使用するものとされており，このため現場作業が煩雑化すること，横胴縁の切断によって多数の端材が発生して材料の無駄を生じること，該端材の廃棄処理が必要となること，加工騒音や切粉が発生すること，金属製のときに切断面に呼び錆びを招くことといった問題点を残している。
【０００６】
本発明はかかる事情に鑑みてなされたもので，その解決課題とするところは，第１に，定尺の横胴縁を用いながら，建物壁面における出隅や窓開口部分等に生じる余剰部分の発生がなく且つ残余部分を簡易且つ確実に吸収し，現場での切断作業を解消し，現場作業の作業性を高度に確保し得るようにした外装材設置用横胴縁を提供するにあり，第２にこれを用いることによって現場作業の作業性を可及的高度に確保し得るようにした壁面外装方法を提供するにある。
【課題を解決するための手段】
【０００７】
上記課題に添って本発明は，外装材の取付ベースをなす定尺の横胴縁と延長胴縁とを備えて外装材設置用横胴縁を構成し，横胴縁に対して延長胴縁を幅方向突出長さ可変に又はブリッジ状に配置自在とすることによって，余剰部分の発生を常に防止するとともに建物壁面に発生する定尺の横胴縁を超え，該定尺以下の寸法となる残余部分を吸収することによって，現場での切断作業を解消し，外装材の取付ベースを建物壁面の全幅に亘るようにしたものであって，即ち請求項１に記載の発明を，タイル，サイディング等外装材の取付ベースをなす定尺の横胴縁と，同じく外装材の取付ベースをなす延長胴縁とを備え，該延長胴縁を幅方向突出長さ可変に又はブリッジ状に上記横胴縁に対して配置自在とし，該延長胴縁を建物壁面幅における横胴縁配置の残余長さ用としてなることを特徴とする外装材設置用横胴縁としたものである。
【０００８】
請求項２に記載の発明は，上記に加えて，定尺の横胴縁を異長複数のものとして建物壁面に対する横胴縁の組合せ配置を可能とすることによって壁面配置の自在性を高度に確保し得るようにするとともにそのいずれの横胴縁に残余部分が生じても延長胴縁を配置し得るように相互の互換性を確保し，現場作業性を更に向上し得るものとするように，これを，  上記定尺の横胴縁を異長に複数備え，これら複数の横胴縁に対して延長胴縁を互換的に配置自在としてなることを特徴とする請求項１に記載の外装材設置用横胴縁としたものである。
【０００９】
請求項３に記載の発明は，同じく上記に加えて，横胴縁と延長胴縁の精度を可及的に確保することによって，延長胴縁の幅方向突出長さ可変の配置を阻害することなく可及的容易になし得るものとするように，これを，上記定尺の横胴縁及び延長胴縁を，ロールホーミング成形，プレス成形，押出成形等によって成形加工したスチール，アルミ等の金属製としてなることを特徴とする請求項１又は２に記載の外装材設置用横胴縁としたものである。
【００１０】
請求項４に記載の発明は，同じく上記に加えて，上記延長胴縁の幅方向突出長さ可変の配置を，所定ピッチに段階的配置する場合等のように延長胴縁が建物壁面に対してなお残余部分を生じたり，突出部分を生じたりすることなく，建物壁面の残余部分の幅に対して常時一致する微調整自在のものとし得るように，これを，上記延長胴縁の幅方向突出長さ可変又はブリッジ状の配置を，横胴縁に対して延長胴縁を該横胴縁長手方向にスライド自在に配置することによって行なってなることを特徴とする請求項１，２又は３に記載の外装材設置用横胴縁としたものである。
【００１１】
請求項５に記載の発明は，同じく上記に加えて，該スライド自在の配置を，横胴縁の端部から行なう場合のように，横胴縁と延長胴縁との事前装着を行なうことによる煩雑さを解消し，横胴縁の建物壁面配置後にその正面側から延長胴縁を事後装着し得るようにして，現場作業の作業性を更に高度に確保したものとするように，これを，上記定尺の横胴縁に対する延長胴縁のスライド自在の配置を，横胴縁の正面から延長胴縁を嵌合し，そのスライドを該嵌合状態で横胴縁長手方向に自在としてなることを特徴とする請求項４に記載の外装材設置用横胴縁としたものである。
【００１２】
請求項６に記載の発明は，同じく上記に加えて，一般に残余部分の長さは左程長くなることが少なく，延長胴縁のスライド長さをある程度確保すれば足りることから，延長胴縁の上記正面側からの嵌合とスライドを横胴縁のある程度の長さ部分においてなし得るようにするとともにその範囲を所定長さに形成したスライド規制手段で画することによって，同時に延長胴縁が誤って横胴縁から外れたり，横胴縁内に埋没したりする可能性を解消し得るものとするように，これを，上記定尺の横胴縁の両端側位置において該横胴縁と延長胴縁間又は横胴縁を介した縦胴縁と延長胴縁間に所定長さのスライド規制手段を配置し，上記定尺の横胴縁に対する延長胴縁の嵌合とそのスライドを，該スライド規制手段の長さの範囲内で行なってなることを特徴とする請求項５に記載の外装材設置用横胴縁としたものである。
【００１３】
請求項７に記載の発明は，同じく上記に加えて，横胴縁と延長胴縁の形状を，可及的に強度を確保し得る好ましい断面形状にして，横胴縁乃至延長胴縁のいずれの箇所でも外装材の取付固定を可及的簡易になし得るものとするように，これを，上記定尺の横胴縁と延長胴縁とを，それぞれ断面コ字状の胴縁基部とその正面側上下先端に外装材取付用の係合部とを備えて断面形状を略同形としてなることを特徴とする請求項１，２，３，４，５又は６に記載の外装材設置用横胴縁としたものである。
【００１４】
請求項８に記載の発明は，上記いずれかの外装材設置用横胴縁を用いることによって現場作業の作業性を可及的高度に確保し得るようにした壁面外装方法を提供するように，これを，その延長胴縁を定尺の横胴縁に配置した状態で単独又は縦胴縁を介して建物壁面幅の全長に亘るように配置し，その取付ベースに対してタイル，サイディング等の外装材を取付固定することを特徴とする外装材設置用横胴縁を用いた壁面施工方法としたものである。
【００１５】
本発明はこれらをそれぞれ発明の要旨として上記課題解決の手段としたものである。
【００１６】
なお本発明において建物壁面乃至その幅とは，建物躯体乃至その外法幅を意味する場合，外断熱構造にあってはこれに断熱材を含めた外法幅を意味する場合の双方を含むように使用する。
【発明の効果】
【００１７】
本発明は以上のとおりに構成したから，請求項１に記載の発明は，定尺の横胴縁を用いながら，建物壁面における出隅や窓開口部分等に生じる余剰部分の発生がなく且つ残余部分を簡易且つ確実に吸収し，現場での切断作業を解消し，現場作業の作業性を高度に確保し得るようにした外装材設置用横胴縁を提供することができる。
【００１８】
請求項２に記載の発明は，上記に加えて，定尺の横胴縁を異長複数のものとして建物壁面に対する横胴縁の組合せ配置を可能とすることによって壁面配置の自在性を高度に確保し得るようにするとともにそのいずれの横胴縁に残余部分が生じても延長胴縁を配置し得るように相互の互換性を確保し，現場作業性を更に向上し得るものとすることができる。
【００１９】
請求項３に記載の発明は，同じく上記に加えて，横胴縁と延長胴縁の精度を可及的に確保することによって，延長胴縁の幅方向突出長さ可変の配置を阻害することなく可及的容易になし得るものとすることができる。
【００２０】
請求項４に記載の発明は，同じく上記に加えて，建物壁面の残余部分の幅に対して常時一致する微調整自在のものとすることができる。
【００２１】
請求項５に記載の発明は，同じく上記に加えて，横胴縁の建物壁面配置後にその正面側から延長胴縁を事後装着し得るようにして，現場作業の作業性を更に高度に確保したものとすることができる。
【００２２】
請求項６に記載の発明は，同じく上記に加えて，延長胴縁の上記正面側からの嵌合とスライドを横胴縁のある程度の長さ部分においてなし得るようにするとともにその範囲を所定長さに配置したスライド規制手段で画することによって，同時に延長胴縁が誤って横胴縁から外れたり，横胴縁内に埋没したりする可能性を解消し得るものとすることができる。
【００２３】
請求項７に記載の発明は，同じく上記に加えて，横胴縁と延長胴縁の形状を，可及的に強度を確保し得る好ましい断面形状にして，横胴縁乃至延長胴縁のいずれの箇所でも外装材の取付固定を可及的簡易になし得るものとすることができる。
【００２４】
請求項８に記載の発明は，上記いずれかの外装材設置用横胴縁を用いることによって現場作業の作業性を可及的高度に確保し得るようにした壁面外装方法を提供することができる。
【発明を実施するための最良の形態】
【００２５】
以下図面の例に従って本発明を更に具体的に説明すれば，図１乃至図１３においてＡは，タイル，サイディング等の外装材設置用横胴縁であり，該横胴縁Ａは，外装材３０の取付ベースをなす定尺の横胴縁１と，同じく外装材３０の取付ベースをなす延長胴縁２とを備え，該延長胴縁２を幅方向突出長さ可変に又はブリッジ状に上記横胴縁に対して配置自在とし，該延長胴縁２を建物壁面２２幅における横胴縁１配置の残余長さ用としてあり，本例にあって上記延長胴縁２の幅方向突出長さ可変の配置は，これを，横胴縁１に対して延長胴縁２をスライド自在に装着することによって行なったものとしてある。
【００２６】
本例の上記定尺の横胴縁１及び延長胴縁２は，これを，ロールホーミング成形，プレス成形，押出成形等によって成形加工したスチール，アルミ等の金属製としてあり，本例にあってはスチール板にロールホーミング及び／又はプレス加工を施すことによって，これらを，それぞれ断面コ字状の胴縁基部３とその正面側上下先端に外装材取付用の係合部４，例えば上向きの係合部とを備えて断面形状を略同形とするように成形して構成し，該係合部４を備えたことによって外装材３０の取付ベースをなすようにしてある。
【００２７】
本例における上記定尺の横胴縁１は，これを異長に複数備え，これら複数の横胴縁１に対して，例えば単一長さとした延長胴縁２を互換的に配置自在としてあり，本例にあって該異長複数の横胴縁１は，例えばメーターモジュールの軸組構造乃至枠組構造用に，例えばメートルに準拠して１ｍ程度及びその倍数の２ｍ程度の２種類の長尺帯状のものとし，このとき本例にあっては，該横胴縁１の定尺切断や撓みの発生等によって生じることある寸法の誤差，現場施工の建物壁面２２側に生じることある寸法の誤差を見込んで，数ｍｍ程度を短くした寸法設定を行なって，定尺の横胴縁１を建物壁面２２に配置したときに寸法の誤差に起因する定尺の横胴縁１端部同士の重なり合いや異常な離隔が発生するのを防止してある。
【００２８】
一方該定尺の横胴縁１に対して，本例にあって突出長さ可変，特にスライド自在に装着した延長胴縁２は，横胴縁１の設定長さによって，後述のように建物壁面２２に横胴縁１を設置したときに生じる残余部分の長さを想定して，これをカバーできるように，例えば１５乃至５０ｃｍ程度以下，本例にあっては２０数ｃｍ程度の長さとしてあり，このとき定尺の横胴縁１への装着時に延長胴縁２が該横胴縁１の端部から，例えば数ｃｍ程度突出するようにそのスライド自在の装着を行う構造として，標準的な建物壁面２２に一般に生じる残余部分を該突出長さで吸収することによって，装着後のスライドを省略し得るようにしてある。
【００２９】
このとき本例の上記定尺の横胴縁１に対する延長胴縁２のスライド自在の装着は，これを，横胴縁１の正面から延長胴縁２を嵌合し，そのスライドを該嵌合状態で横胴縁長手方向に自在とし，これによって定尺の横胴縁１を建物壁面２２に設置してから延長胴縁２を事後装着できるようにして，横胴縁Ａ設置の作業性を良好に確保し得るものとしてある。
【００３０】
即ち本例の定尺の横胴縁１及び延長胴縁２は，それぞれ断面コ字状の胴縁基部３とその正面側上下先端上向きの係合部４を備えた断面形状を略同形とすることによって，該横胴縁１の胴縁基部３には，延長胴縁２の胴縁基部３を受入可能とする長手方向に向けて正面側に開口したコ字状溝が形成されるから，このコ字状溝に延長胴縁２の胴縁基部３を正面側から引掛け回動して嵌め込むことによって，その正面側における嵌合とそのスライドを行なうことを可能としてあり，このとき本例の延長胴縁２の外形寸法は，これを，定尺の横胴縁１より幾分，例えばその肉厚分程度小さく設定することによって，延長胴縁２の装着時に定尺の横胴縁１に押し広げや変形を来すことなく，該横胴縁１のコ字状溝内に対する延長胴縁２の簡易な嵌合とコ字状溝におけるスムーズなスライドをなし得るようにしてあり，上記断面形状を有する本例においては，延長胴縁２の胴縁基部３における高さと正面側への出幅の寸法を，その肉厚に応じて，例えば０．６乃至１ｍｍ程度小さく設定してある。
【００３１】
本例にあって上記定尺の横胴縁１の両端側位置において該横胴縁１と延長胴縁２間に所定長さのスライド規制手段を配置し，上記定尺の横胴縁１に対する延長胴縁２の嵌合とそのスライドを，該スライド規制手段の長さの範囲内で行なうようにしてあり，本例にあって該スライド規制手段は，定尺の横胴縁１の胴縁基部３に透設乃至凹陥するように配置したガイド溝５と，延長胴縁２の胴縁基部３の端部近傍に切り起し乃至隆起するように配置した一対のガイド突起６とによって形成し，ガイド溝５に一方のガイド突起６を受入れ自在とするとともにガイド溝５によってガイド突起６をスライド案内自在とし，ガイド溝５の長さ，本例においては１５ｃｍ程度の長さの範囲内でその嵌合とスライドを可能とするようにしてある。本例のガイド溝５とガイド突起６は，上記断面コ字状をなす各胴縁基部３の上方の突片にそれぞれ設置してあり，これによって定尺の横胴縁１に延長胴縁２を上記引掛け回動するように嵌め込んでこれらが弾発的に係合し，安定したスライドをなし得るようにしてある。このとき本例にあって延長胴縁２には上記一対のガイド突起６を形成し，その一方のガイド突起６をガイド溝５に係合するようにするとともに該ガイド突起６がガイド溝５の長手方向内側にあるときに他方のガイド突起６が横胴縁１の長手方向端縁に突き当て係合するように配置することによって，定尺の横胴縁１の長手方向両端部に設置したいずれかガイド溝５にも延長胴縁２の嵌合とスライドを共通になし得るように，その左右勝手を自在化してある。
【００３２】
このように形成した外装材設置用横胴縁Ａは，これを用い，その延長胴縁２を定尺の横胴縁１に配置した状態で単独又は縦胴縁２４を介して建物壁面２２幅の全長に亘るように配置し，その上記係合部４による取付ベースに対してタイル，サイディング等の外装材３０を取付固定する方法によって，その壁面外装を行なうようにしてあり，本例にあって横胴縁Ａは，柱等による建物躯体２０の外側に合板２１を介して外断熱層の建物壁面２２を形成し，その外側に所定間隔に配置した縦胴縁２４を介してその定尺の横胴縁１と延長胴縁２を設置してあり，このとき縦胴縁２４を釘打ち可能の材料，例えば木材製とし，定尺の横胴縁１と延長胴縁２の各胴縁基部３の底部から縦胴縁２４に対して釘打ちすることによってこれらを固定してあり，このとき該横胴縁１と延長胴縁２は，上下に隣接する横胴縁１間及び延長胴縁２間でその各上下に位置する上向きの係合部４のピッチが各横胴縁１と延長胴縁２の胴縁基部３における係合部４のピッチと同一となるように多数平行に配置してその釘打ちの固定を行なってあり，これによって定尺の横胴縁１と延長胴縁２上下の係合部４に嵌め込むように，またこれらの間の上位にあっては下方と，下位にあっては上方の相互に隣接する係合部４に，外装材３０の係合部３１を係合載架し必要に応じて接着を施すことによって，それぞれタイル，サイディング等の外装材３０を設置可能としてある。
【００３３】
上記縦胴縁２４を介した外装材設置用横胴縁Ａにあっては，その定尺の横胴縁１を上記メートルに準拠してその倍数の略１ｍと略２ｍの異長複数としたことによって，メートルに準拠した寸法は，軸組構造や枠組構造における柱等の建物躯体２０が芯々寸法とされることによって，建物壁面２２の出隅においては，その柱等の幅方向中心の芯位置から出隅側の側面までの部分が，そして柱等の外側に外断熱層を配置した本例では，これに使用する断熱材の厚さを加えた部分が，更に窓開口２３部分にあっては，定尺の横胴縁１の合計長さと建物壁面２２の横幅との寸法差の部分が定尺の横胴縁１によってカバーできない残余部分となるところ，定尺の横胴縁１に突出長さ可変，特にスライド自在に装着した延長胴縁２がこれをカバーすることによって，建物壁面２２にその幅と同じ長さに外装材設置用横胴縁Ａを配置することができ，本例にあっては定尺の横胴縁１を適宜に組合わせて縦胴縁２４に設置した後に，建物壁面２２の残余部分があるときに，該定尺の横胴縁１に延長胴縁２をその正面側から事後装着し，例えば図１２に示すように残余部分をカバーするようにスライドすればよく，その後にこれらに上記外装材３０を設置することによって壁面の外装を行なえばよい。
【００３４】
図１４乃至図２３は，上記例と同種同断面形状の定尺の横胴縁１と延長胴縁２を用いて同じく縦胴縁２４に固定して外装材３０を設置するものとするも，縦胴縁２４をこれらと同様に成形加工した金属製とし，その固定を釘等の固定金具を使用することなく可能とするように，例えばスナップイン的に行なうようにし，これに伴って定尺の横胴縁１に対する延長胴縁２のスライド規制手段を，該定尺の横胴縁１を介して縦胴縁２４と延長胴縁２間に配置した構造とした例を示したものである。
【００３５】
本例にあって定尺の横胴縁１及び延長胴縁２は，それぞれプレス加工による切欠を行い，定尺の横胴縁１にあって該切欠は，その長手方向両端部とその間の縦胴縁２４配置のピッチの，例えば５０ｃｍ程度毎に透設した上位において細溝透孔７，下位において矩形透孔８を形成するように，延長胴縁２にあって該切欠は，スライド幅に応じて開口した横長透孔９と，該横長透孔９内上方にその長手方向に沿って両端に開放部１１を配置した上位の横長フィン１０を，横長透孔９内下方に同じくその長手方向に沿う下位の横長フィン１２を，その両側の横長透孔９内両端の起立フィン１３を形成するように，これを行なったものとしてある。
【００３６】
このとき縦胴縁２４は，定尺の横胴縁１又は延長胴縁２固定のピッチ毎に，同じくプレス加工を行って，上方に傾斜返し片２６を有するブラケット２５を正面側に突出するように備えたものとしてあり，該縦胴縁２４への固定は，定尺の横胴縁１における下位の矩形透孔８に縦胴縁２４のブラケット２５を挿通し，これを押下げて，上記傾斜返し片２６を上位の細溝透孔７に弾発的に係止することによって，そのスナップイン的な固定を行なうものとしてあり，また延長胴縁２は，該縦胴縁２４に定尺の横胴縁１を固定した状態で，延長胴縁２の起立フィン１３を縦胴縁２４のブラケット２５に押し当てながら，該ブラケット２５を延長胴縁２の上位の横長フィン１０における一方の開放部１１に受入れるように，同様に延長胴縁２を正面側から定尺の横胴縁１に引掛け回動して嵌め込み，次いで延長胴縁２を定尺の横胴縁１長手方向に移動して上位の横長フィン１０をブラケット２５の傾斜返し片２６上方背面部をガイドとする如くにこれに引掛係合するようにその正面側の上記スナップイン的な装着を行なうものとしてある。
【００３７】
これによって延長胴縁２は定尺の横胴縁１に嵌合し且つその上位の横長フィン１０がブラケット２５，特にその傾斜返し片２６をガイドとすることによって定尺の横胴縁１長手方向にそのスライドを行なうことが可能となり，また上記上位の横長フィン１０がブラケット２５に係合することによって上記押圧された起立フィン１３が弾発的に復帰し，他方の起立フィン１３とともにブラケット２５の端部に引掛り状となることによって，該起立フィン１３とブラケット２５が，該定尺の横胴縁１を介した縦胴縁２４と延長胴縁２間に配置したスライド規制手段として作用することになる。
【００３８】
その余の基本的構成は上記例と変わらないので，その重複する説明を省略する。
【００３９】
図示した例は以上のとおりとしたが，定尺の横胴縁を，旧尺貫法の尺に準拠した建築分野における一般的な寸法のものとしてその長さの設定を行なうこと，定尺の横胴縁を異長複数のものとすること，建物壁面の幅方向中間に残余部分の幅を残存するように配置した定尺の横胴縁に対して延長胴縁をこれら横胴縁を連結するように，該定尺の横胴縁にブリッジ状に配置自在とすること，上記外断熱層を有する外断熱構造に代えて，柱間に断熱材を配置した内断熱構造の建物壁面を外装材設置対象とすること，延長胴縁の幅方向突出長さ可変の配置を，上記スライドによる無段階的に行うものに代えて，小ピッチの段階的に行うものとして構成すること，スライド規制手段の使用を省略し，例えばリベット等金具固定によってその位置を規制するようにすること，定尺の横胴縁及び延長胴縁の断面形状を外装材に合せてものとし，このとき必要に応じて事前装着用の形状のものとすること，縦胴縁を木製等金属以外によって構成として横胴縁取付用のブラケットを別途又は一体に形成すること等を含めて，本発明の実施に当って，外装材，建物壁面，定尺の横胴縁，延長胴縁の各具体的形状，構造，材質，これらの関係，これらに対する付加，その壁面外装方法の具体的手順，方法等は，上記発明の要旨に反しない限り様々な形態のものとすることができる。
【図面の簡単な説明】
【００４０】
【図１】定尺の横胴縁の正面図である。
【図２】定尺の横胴縁の部分平面図である。
【図３】定尺の横胴縁の縦断面図である。
【図４】延長胴縁の正面図である。
【図５】延長胴縁の縦断面図である。
【図６】外装材設置用横胴縁の部分正面図である。
【図７】外装材設置用横胴縁の部分平面図である。
【図８】外装材設置用横胴縁をスライドしたときの部分正面図である。
【図９】外装材設置用横胴縁をスライドしたときの部分平面図である。
【図１０】定尺の横胴縁と延長胴縁の関係を示す縦断面図である。
【図１１】建物壁面の出隅と外装材設置用横胴縁の関係を示す横断面図である。
【図１２】建物壁面の窓開口部分と外装材設置用横胴縁の関係を示す正面図である。
【図１３】定尺の横胴縁と外装材の関係を示す縦断面図である。
【図１４】他の例に係る定尺の横胴縁の正面図である。
【図１５】定尺の横胴縁の部分拡大正面図である。
【図１６】定尺の横胴縁の縦断面図である。
【図１７】他の例に係る延長胴縁の正面図である。
【図１８】延長胴縁の縦断面図である。
【図１９】縦胴縁の正面図である。
【図２０】縦胴縁の部分拡大縦断面図である。
【図２１】延長胴縁の装着時の状態を示す正面図である。
【図２２】延長胴縁の装着時の状態を示す縦断面図である。
【図２３】建物壁面の窓開口部分と外装材設置用横胴縁の関係を示す正面図である。
【符号の説明】
【００４１】
Ａ  外装材設置用横胴縁
１  定尺の横胴縁
２  延長胴縁
３  胴縁基部
４  上向きの係合部
５  ガイド溝
６  ガイド突起
２０  建物躯体
２２  建物壁面
２４  縦胴縁
３０  外装材
【図１】
2005344298.tif 000003
【図２】
2005344298.tif 000004
【図３】
2005344298.tif 000005
【図４】
2005344298.tif 000006
【図５】
2005344298.tif 000007
【図６】
2005344298.tif 000008
【図７】
2005344298.tif 000009
【図８】
2005344298.tif 000010
【図９】
2005344298.tif 000011
【図１０】
2005344298.tif 000012
【図１１】
2005344298.tif 000013
【図１２】
2005344298.tif 000014
【図１３】
2005344298.tif 000015
【図１４】
2005344298.tif 000016
【図１５】
2005344298.tif 000017
【図１６】
2005344298.tif 000018
【図１７】
2005344298.tif 000019
【図１８】
2005344298.tif 000020
【図１９】
2005344298.tif 000021
【図２０】
2005344298.tif 000022
【図２１】
2005344298.tif 000023
【図２２】
2005344298.tif 000024
【図２３】
2005344298.tif 000025